(57)【特許請求の範囲】
【請求項１】
インターネット地図サーバ、ＳＮＳサーバおよび広告サーバと連係するインターネットテレマティックスサービス提供システムにおいて、
前記インターネットテレマティックスサービス提供システムはテレマティックスシステムと連動し、
前記テレマティックスシステム上の情報およびユーザに関連するインターネット上の情報に基づいた関心情報を生成する関心情報生成部を備え、
前記関心情報生成部は、前記ユーザの会員加入時に作成した個人情報ならびにＰＯＩに対する検索履歴および訪問履歴のうち少なくとも１つの前記テレマティックスシステム上の情報から抽出したキーワードを用いて前記関心情報を生成するものであり、
前記インターネットテレマティックスサービス提供システムは、さらに、
前記テレマティックスシステムから前記ユーザの現在の位置および／または目的地までの移動経路を受信する経路受信部と、
前記インターネット地図サーバと連係して前記ユーザの現在の位置および／または前記目的地までの移動経路を基準にして前記関心情報に対応するＰＯＩ情報を抽出するＰＯＩ抽出部と、
前記ＰＯＩ情報を前記テレマティックスシステムに提供するＰＯＩ提供部と、
前記ＳＮＳサーバと連係して他のユーザのコンテンツであり前記ユーザの現在の位置および／または目的地までの移動経路に関連するコンテンツを抽出するコンテンツ抽出部と、
前記コンテンツ抽出部で抽出されたコンテンツを前記テレマティックスシステムに提供するコンテンツ提供部と、
前記広告サーバと連係して前記ＰＯＩ情報に関連するインターネット上の広告情報を生成する広告情報生成部と、
前記広告情報を前記テレマティックスシステムおよび／または前記ユーザから設定された通信端末に提供する広告情報提供部と、
を備え、
前記他のユーザは前記ユーザに関連のあるユーザであることを特徴とするインターネットテレマティックスサービス提供システム。
【請求項２】
前記コンテンツ抽出部は、前記ＳＮＳサーバと連係して前記ユーザと関連のあるウェブサイトから前記ユーザの車両が到着した到着地のＰＯＩに関連するインターネット上のコンテンツを抽出し、
前記コンテンツ提供部は、前記コンテンツを画面上に拡大して前記テレマティックスシステムに表示しおよび／または前記ユーザから設定された通信端末に提供することを特徴とする請求項１に記載のインターネットテレマティックスサービス提供システム。
【請求項３】
前記インターネットテレマティックスサービス提供システムは、
前記コンテンツを、前記ユーザに関連し前記ユーザに割り当てられたウェブページに記録する記録部と、
前記ウェブページに記録されたコンテンツを、ウェブサービスを介して、前記テレマティックスシステムおよび／または他のユーザのウェブサイトに提供するウェブページ提供部と、をさらに備え、
前記他のユーザは前記ユーザに関連のあるユーザであることを特徴とする請求項２に記載のインターネットテレマティックスサービス提供システム。
【請求項４】
インターネット地図サーバ、ＳＮＳサーバおよび広告サーバと連係するインターネットテレマティックスサービス提供システムのインターネットテレマティックスサービス提供方法において、
前記インターネットテレマティックスサービス提供システムがテレマティックスシステムと連動し、
前記インターネットテレマティックスサービス提供方法は、
前記テレマティックスシステム上の情報およびユーザに関連するインターネット上の情報に基づいた関心情報を生成する関心情報生成ステップを備え、
前記関心情報生成ステップは、前記ユーザの会員加入時に作成した個人情報ならびにＰＯＩに対する検索履歴および訪問履歴のうち少なくとも１つの前記テレマティックスシステム上の情報から抽出したキーワードを用いて前記関心情報を生成するものであり、
前記インターネットテレマティックスサービス提供方法は、さらに、
前記テレマティックスシステムから前記ユーザの現在の位置および／または目的地までの移動経路を受信する経路受信ステップと、
前記インターネット地図サーバと連係して前記ユーザの現在の位置および／または前記目的地までの移動経路を基準にして前記関心情報に対応するＰＯＩ情報を抽出するＰＯＩ抽出ステップと、
前記ＰＯＩ情報を前記テレマティックスシステムに提供するＰＯＩ提供ステップと、
前記ＳＮＳサーバと連係して他のユーザのコンテンツであり前記ユーザの現在の位置および／または目的地までの移動経路に関連するコンテンツを抽出するコンテンツ抽出ステップと、
前記コンテンツ抽出ステップで抽出されたコンテンツを前記テレマティックスシステムに提供するコンテンツ提供ステップと、
前記広告サーバと連係して前記ＰＯＩ情報に関連するインターネット上の広告情報を生成する広告情報生成ステップと、
前記広告情報を前記テレマティックスシステムおよび／または前記ユーザから設定された通信端末に提供する広告情報提供ステップと、
を含み、
前記他のユーザは前記ユーザに関連のあるユーザである
ことを特徴とするインターネットテレマティックスサービス提供方法。
【請求項５】
コンテンツ抽出ステップにおいては、前記ＳＮＳサーバと連係して前記ユーザと関連のあるウェブサイトから前記ユーザの車両が到着した到着地に関連するインターネット上のコンテンツを抽出し、 
前記コンテンツ提供ステップにおいては、前記コンテンツを画面上に拡大して前記テレマティックスシステムに表示しおよび／または前記ユーザから設定された通信端末に提供することをさらに含むことを特徴とする請求項４に記載のインターネットテレマティックスサービス提供方法。
【請求項６】
前記インターネットテレマティックスサービス提供方法は、
前記コンテンツを、前記ユーザに関連し前記ユーザに割り当てられたウェブページに記録する記録ステップと、
前記ウェブページに記録されたコンテンツを、ウェブサービスを介して、前記テレマティックスシステムおよび／または他のユーザのウェブサイトに提供するウェブページ提供ステップと、をさらに含み、
前記他のユーザは前記ユーザに関連のあるユーザであることを特徴とする請求項５に記載のインターネットテレマティックスサービス提供方法。
【発明の詳細な説明】
【技術分野】
【０００１】
本発明はウェブ上の多様な情報を用いて個人化されたＰＯＩ（Ｐｏｉｎｔ  Ｏｆ  Ｉｎｔｅｒｅｓｔ）情報を提供するインターネットテレマティックスサービス提供システムおよび方法に関する。
【背景技術】
【０００２】
近年、モバイル通信技術、衛星測位技術、地図情報技術および自動車装置制御技術などを融合して自動事故申告、応急呼出サービス、道案内サービスなどのさまざまなサービスを、車両内端末を介して運転者に提供するテレマティクスに関する技術開発が活発になされている。今後テレマティクス技術は、より便利で安全な運転環境を提供することはもちろん、すべての情報サービスを車内で途切れなく利用できる環境を提供する技術に進化するものと予想されている。
【０００３】
本明細書において、様々なインターネットサービスを活用して車両の運転者にさらに有用な情報を提供するシステムおよび方法が提案される。
【発明の概要】
【発明が解決しようとする課題】
【０００４】
本発明の目的は、インターネット上の情報を用いてユーザおよび／または車両に関連する情報を反映したＰＯＩ（Ｐｏｉｎｔ  Ｏｆ  Ｉｎｔｅｒｅｓｔ）情報を提供することによって、ナビゲーション品質および便宜性を向上するインターネットテレマティックスサービス提供システムおよび方法を提供することである。
【０００５】
本発明の他の目的は、ウェブ上の豊かな情報を高度に個人化および社会化された形態に変換して提供するインターネットテレマティックスサービス提供システムおよび方法を提供することである。
【０００６】
本発明の他の目的は、ＰＯＩに関連するコンテンツや広告を予め設定されたデバイスに伝達することによって、車両のみならず外部でも情報を活用することのできるインターネットテレマティックスサービス提供システムおよび方法を提供することである。
【課題を解決するための手段】
【０００７】
本発明の一側面によると、車両のテレマティックスシステムと連動し、ユーザに関連するインターネット上の情報および／またはテレマティックスシステム上の情報に基づいた関心情報を生成する関心情報生成部と、テレマティックスシステムからユーザの位置および／または移動経路を受信する経路受信部と、インターネット地図サーバと連係してユーザの位置および／または移動経路を基準にして関心情報に対応するＰＯＩ情報を抽出するＰＯＩ抽出部と、ＰＯＩ情報をテレマティックスシステムに提供するＰＯＩ提供部とを備えるインターネットテレマティックスサービス提供システムが提供される。
【０００８】
本発明の一側面によると、インターネットテレマティックスサービス提供システムは、ＳＮＳサーバと連係してユーザと関連のあるウェブサイトで車両位置および／または移動経路に関連するコンテンツを抽出するコンテンツ抽出部と、コンテンツをテレマティックスシステムに提供するコンテンツ提供部とをさらに備えてもよい。
【０００９】
本発明の他の一側面によると、関心情報生成部は、ユーザの個人情報、検索履歴、お気に入りに追加したウェブサイトの性格、ユーザと関連のあるウェブサイトの性格、ユーザと関連のあるウェブサイト運用者の関心情報、ユーザによって予め設定された他のユーザの関心情報、他のユーザが作成したコンテンツのうち少なくとも１つを用いて関心情報を生成してもよい。
【００１０】
本発明の他の一側面によると、関心情報生成部は、テレマティックスシステム上のユーザまたはユーザによって予め設定された他のユーザが登録した関心ＰＯＩリスト、ＰＯＩに対する検索履歴、および訪問履歴のうち少なくとも１つのテレマティックス情報を用いて関心情報を生成してもよい。
【００１１】
本発明の他の一側面によると、インターネットテレマティックスサービス提供システムは、インターネットコンテンツ提供サーバと連係してユーザが選択したＰＯＩまたはテレマティックスシステムに設定された目的地と経由地、および車両が到着した到着地のうち少なくとも１つのＰＯＩに関連するインターネット上のコンテンツを抽出するコンテンツ抽出部と、コンテンツをテレマティックスシステムおよび／またはユーザから設定された通信端末に提供するコンテンツ提供部とをさらに備えてもよい。
【００１２】
本発明の他の一側面によると、インターネットテレマティックスサービス提供システムは、コンテンツをユーザに関連するウェブページに記録する記録部と、ウェブページに記録されたコンテンツを、ウェブサービスを介して、テレマティックスシステムおよび／またはユーザと関連のあるウェブサイトに提供するウェブページ提供部とをさらに備えてもよい。
【００１３】
本発明の他の一側面によると、インターネットテレマティックスサービス提供システムは、広告サーバと連係してＰＯＩ情報に関連するインターネット上の広告情報を生成する広告情報生成部と、広告情報をテレマティックスシステムおよび／またはユーザから設定された通信端末に提供する広告情報提供部とをさらに備えてもよい。
【発明の効果】
【００１４】
本発明によると、現在の位置や移動経路において、インターネット上の情報を用いてユーザおよび／または車両に関連する情報を反映したＰＯＩ情報を、提供することによって、ナビゲーション品質および便宜性を向上させることができる。
【００１５】
本発明によると、ウェブ上の多様な情報を高度に個人化および社会化された形態に変換して提供することができる。
【００１６】
本発明によると、ＰＯＩに関連するコンテンツや広告を予め設定されたデバイスに伝達することによって、車両のみならず外部でも情報を活用することができる。
【図面の簡単な説明】
【００１７】
【図１】本発明の一実施形態におけるテレマティックスシステムおよび通信端末とインターネットテレマティックスサービス提供システム間の関係を説明するための図である。
【図２】本発明の一実施形態におけるユーザの関心事項を反映したＰＯＩ情報を提供するインターネットテレマティックスサービス提供システムの内部構成を説明するためのブロック図である。
【図３】本発明の一実施形態におけるＰＯＩ情報を提供するサービス形態を説明するための画面の一例図である。
【図４】本発明の一実施形態における車両位置および／または移動経路に関連するインターネット上のコンテンツを提供するインターネットテレマティックスサービス提供システムの追加構成を説明するためのブロック図である。
【図５】本発明の一実施形態におけるＰＯＩに関連するインターネット上のコンテンツを共有するインターネットテレマティックスサービス提供システムの追加構成を説明するためのブロック図である。
【図６】本発明の一実施形態におけるＰＯＩに関連する広告情報を提供するインターネットテレマティックスサービス提供システムの追加構成を説明するためのブロック図である。
【図７】本発明の一実施形態における個人化および社会化された形態のＰＯＩ情報を提供するインターネットテレマティックスサービス提供方法を示すフローチャートである。
【図８】本発明の一実施形態におけるＰＯＩに関連するインターネット上のコンテンツを提供および共有するインターネットテレマティックスサービス提供方法を示すフローチャートである。
【図９】本発明の一実施形態におけるＰＯＩに関連する広告情報を提供するインターネットテレマティックスサービス提供方法を示すフローチャートである。
【発明を実施するための形態】
【００１８】
以下、本発明の実施形態を添付する図面を参照しながら詳説する。
【００１９】
図１は、本発明の一実施形態におけるテレマティックスシステムおよび通信端末とインターネットテレマティックスサービス提供システム間の関係を説明するための図である。図１は、車両のテレマティックスシステム１２０およびユーザの通信端末１３０と連動するインターネットテレマティックスサービス提供システム１１０を示している。
【００２０】
インターネットテレマティックスサービス提供システム１１０は、テレマティックスシステム１２０および／または通信端末１３０と連動して現在の位置や移動経路に対して個人化および社会化された形態の情報を提供する。言い換えれば、インターネットテレマティックスサービス提供システム１１０は、現在の位置や移動経路に対してユーザの関心事項や興味事項が反映されたＰＯＩ情報と共に現在の位置や移動経路に関連するインターネット上のコンテンツをテレマティックスシステム１２０に提供してもよい。また、インターネットテレマティックスサービス提供システム１１０は、ＰＯＩに関連するインターネット上のコンテンツをユーザに関連するウェブページに自動記録したり、通信端末１３０にリアルタイムで提供したりしてもよい。なお、ＰＯＩ情報とは、本発明の一側面において、ユーザの関心の対象となる場所に関する情報とすることができる。関心の対象となる場所は、目的地までの経路の周辺に存在する各種施設とすることができる。したがって、ＰＯＩ情報は、位置情報に関連する施設および／または店舗その他に関する情報とすることができる。そのような情報としては、施設などの名称、住所、電話番号、提供されるサービスなどがある。また、後に説明するように、施設などに関連する情報も挙げることができる。
【００２１】
テレマティックスシステム１２０は、車両に搭載されたナビゲーション端末を意味し、無線データ網を介してインターネットテレマティックスサービス提供システム１１０および／または通信端末１３０と通信可能である。
【００２２】
通信端末１３０は、ユーザが携帯可能なＰＣ、携帯電話などモバイル環境の端末を意味し、無線データ網を介してインターネットテレマティックスサービス提供システム１１０および／またはテレマティックスシステム１２０と通信可能である。
【００２３】
本発明の一実施形態において、テレマティックスシステム１２０は、上記で説明されたようにナビゲーション端末として車両に内蔵されたり、別途の装置に提供されたりすることはもちろん、道案内サービスが可能な移動通信端末などに提供されることも当然であろう。この場合、図１におけるテレマティックスシステム１２０および通信端末１３０は同一の装置で実現されてもよい。
【００２４】
図２は、本発明の一実施形態におけるユーザの関心事項を反映したＰＯＩ情報を提供するインターネットテレマティックスサービス提供システムの内部構成を説明するためのブロック図である。一実施形態に係るインターネットテレマティックスサービス提供システム２００は、図２に示すように、関心情報生成部２１０、経路受信部２２０、ＰＯＩ抽出部２３０、ＰＯＩ提供部２４０を備えてもよい。
【００２５】
関心情報生成部２１０は、ユーザに関連するインターネット上の情報および／またはテレマティックスシステム１２０上の情報に基づいて関心情報を生成する。関心情報生成部２１０はインターネット上のユーザ情報や履歴などを用いてユーザの関心情報を生成してもよい。
【００２６】
例えば、インターネット上に会員加入の時に作成したユーザの個人情報（例えば、趣味、職業、年齢、性別など）、検索エンジンにおける検索履歴、お気に入りに追加したサイトの性格、ユーザと関連のあるウェブサイト（例えば、ブログ、カフェなど）の性質、ユーザと関連のあるウェブサイト運用者の関心情報、ユーザによって予め設定された他のユーザの関心情報、他のユーザが作成したコンテンツのうち少なくとも１つによって関心情報を導き出すことができる。ここで、ユーザと関連のあるウェブサイトはブログ、カフェなど、ユーザが加入したウェブサイトを意味したり、またはユーザと友人、ネイバーなどでオンラインの友人関係が設定されたウェブサイトを意味したりする。
【００２７】
また、ユーザと関連のあるウェブサイトの加入者またはオンラインの友人がそのウェブサイトに作成したコンテンツも関心情報を生成するにあって基礎資料として用いられてもよい。このように、関心情報の生成において、ユーザ自身に関連する情報の他に、ユーザと一定関係の設定されたウェブサイトの情報やユーザが予め指定した他のユーザの情報などが活用されてもよい。
【００２８】
また、関心情報生成部２１０は、テレマティックスシステム１２０上の履歴、ユーザの現在の位置などを用いてユーザの関心情報を生成してもよい。例えば、テレマティックスシステム１２０上にユーザから登録された関心ＰＯＩリスト、ＰＯＩに対する検索履歴、訪問履歴、およびユーザの現在位置のうち少なくとも１つのテレマティックス情報に基づいてユーザの関心情報を導き出してもよい。一例として、関心情報生成部２１０は、ユーザ情報およびテレマティックス情報に対して最近の一定期間（例えば、最近一週間）の情報を選別して関心情報を生成するための情報として用いてもよい。他の一例として、関心情報生成部２１０は、ユーザ情報およびテレマティックス情報からキーワードを抽出してキーワードごとの抽出頻度に基づいて関心キーワードを決めた後、関心キーワードを関心情報として生成してもよい。また、関心情報生成部２１０は、ユーザ本人の他にユーザが予め指定した他のユーザのテレマティックス情報を反映して関心情報を生成してもよい。この場合、他のユーザから登録された関心ＰＯＩリスト、ＰＯＩに対する検索履歴、訪問履歴、他のユーザの現在位置などが関心情報を導き出すために用いられてもよい。
【００２９】
経路受信部２２０は、テレマティックスシステム１２０から車両位置および／または移動経路を受信する。経路受信部２２０は、テレマティックスシステム１２０から車両の現在の位置をリアルタイムに受信してテレマティックスシステム１２０に設定された目的地までの移動経路を受信してもよい。
【００３０】
ＰＯＩ抽出部２３０は、インターネット地図サーバ（図示せず）と連係して車両位置および／または移動経路を基準にしてユーザの関心情報に対応するＰＯＩ情報を抽出する。ＰＯＩ抽出部２３０は、車両の現在の位置と移動経路周辺に位置するＰＯＩを抽出した後、抽出されたＰＯＩのうち関心情報に対応するＰＯＩを抽出してもよい。ＰＯＩ抽出部２３０は、インターネット地図サーバを介して関心情報に対応するＰＯＩリスト、ＰＯＩごとの位置情報、電話番号、アドレスなどの詳細情報を抽出してもよい。
【００３１】
ＰＯＩ提供部２４０は、関心情報に対応するＰＯＩ情報をテレマティックスシステム１２０に提供する。ここで、ＰＯＩ情報は、テレマティックスシステム１２０によって車両の現在の位置および／または移動経路を案内する地図の画面上に表示されてもよい。
【００３２】
図２に示す構成によると、一実施形態に係るインターネットテレマティックスサービス提供システム２００は、車両の現在の位置や目的地までの移動経路を基準にしてユーザの関心情報が反映された個人化されたＰＯＩ情報をテレマティックスシステム１２０によってユーザに提供してもよい。図３に示すように、テレマティックスシステム１２０は、目的地までの移動経路３０１を案内する地図画面３１０と共にインターネットテレマティックスサービス提供システム２００に提供されたＰＯＩ情報３２０を表示してもよい。ここで、テレマティックスシステム１２０は、地図画面３１０上に関心情報に対応するＰＯＩを他のＰＯＩと区別するように表示してもよく、ＰＯＩリストおよびＰＯＩごとの詳細情報（位置情報、電話番号、アドレスなど）を含むＰＯＩ情報３２０を表示してもよい。例えば、ユーザの関心情報が「歯科病院」である場合、目的地に到着するまでの経路周辺に対して歯科病院に該当するＰＯＩ情報をテレマティックスシステム１２０に提供してもよい。
【００３３】
図４は、本発明の一実施形態における車両位置および／または移動経路に関連するインターネット上のコンテンツを提供するインターネットテレマティックスサービス提供システムの追加構成を説明するためのブロック図である。本実施形態に係るインターネットテレマティックスサービス提供システム４００は、図２を参照して説明したインターネットテレマティックスサービス提供システム２００に対応し、図４に示すように、コンテンツ抽出部４１０、コンテンツ提供部４２０をさらに備えてもよい。
【００３４】
一例として、コンテンツ抽出部４１０は、ＳＮＳ（Ｓｏｃｉａｌ  Ｎｅｔｗｏｒｋ  Ｓｅｒｖｉｃｅ）サーバ（図示せず）と連係して車両位置および／または移動経路を基準にしてユーザと関連のあるウェブサイトで車両位置および／または移動経路に関連するコンテンツを自動抽出する。例えば、コンテンツ抽出部４１０は、ユーザが加入したウェブサイトの加入者またはユーザのオンラインの友人が作成したコンテンツでユーザの現在の位置や移動経路に関連があったり、その地域の近所で作成されたりしたコンテンツを抽出してもよい。そして、コンテンツ提供部４２０は、車両位置および／または移動経路に関連するコンテンツをテレマティックスシステム１２０にリアルタイムで提供する。ここで、テレマティックスシステム１２０は、車両の現在の位置や移動経路に応じてコンテンツ提供部４２０に提供されたコンテンツをポップアップウィンドウに出力してもよい。上記構成のインターネットテレマティックスサービス提供システム４００は、ユーザが加入したウェブサイトの加入者またはユーザのオンラインの友人がグルメ店の訪問後に作成したコメントをインターネット上に保存している場合、車両の現在の位置がそのグルメ店と隣接するときインターネット上のコメントを自動で読み出してもよく、テレマティックスシステム１２０に提供してテレマティックスシステム１２０によってユーザがそのグルメ店に関するインターネット上のコメントを確認するようにしてもよい。
【００３５】
図４に示す構成によると、一実施形態に係るインターネットテレマティックスサービス提供システム４００は、ユーザと関連のある他のユーザのコンテンツのうち、車両位置および／または移動経路に関連するコンテンツを提供することによって、社会化された形態の情報をテレマティックスシステム１２０によってユーザに提供してもよい。
【００３６】
他の一例として、コンテンツ抽出部４１０は、インターネットコンテンツ提供サーバ（図示せず）と連係してユーザの関心情報に基づいて抽出されたＰＯＩ、ユーザが選択したＰＯＩ、またはテレマティックスシステム１２０に設定された目的地と経由地、および車両が到着した到着地のうち少なくとも１つのＰＯＩに関連するインターネット上のコンテンツを抽出してもよい。コンテンツ抽出部４１０は、テレマティックスシステム１２０によってユーザが選択したＰＯＩ、あるいはテレマティックスシステム１２０に設定された目的地と経由地、および車両が到着した到着地のうち少なくとも１つのＰＯＩに関連する詳細ページ、クーポン、広告、写真などを抽出してもよい。そして、コンテンツ提供部４２０は、ＰＯＩに関連するコンテンツをテレマティックスシステム１２０および／またはユーザから設定された通信端末１３０に提供する。ここで、ＰＯＩに関連するコンテンツはテレマティックスシステム１２０によって画面上に拡大して表示したり、通信端末１３０を介して車両とは関係のない場所にて用いたりしてもよい。
【００３７】
また他の一例として、コンテンツ抽出部４１０は、ＳＮＳサーバと連係してユーザと関連のあるウェブサイトでユーザの関心情報に基づいて抽出されたＰＯＩに関連するコンテンツを抽出してもよい。そして、コンテンツ提供部４２０は、ユーザと関連のあるウェブサイトから抽出されたコンテンツをテレマティックスシステム１２０および／またはユーザから設定された通信端末１３０に提供する。また、ＰＯＩ提供部２４０は、ユーザと関連のあるウェブサイトから抽出されたコンテンツをユーザの関心情報として活用可能な形態に作成してＰＯＩに提供してもよい。
【００３８】
図５は、本発明の一実施形態においてＰＯＩに関連するインターネット上のコンテンツを共有するインターネットテレマティックスサービス提供システムの追加構成を説明するためのブロック図である。本実施形態に係るインターネットテレマティックスサービス提供システム５００は、図４を参照して説明したインターネットテレマティックスサービス提供システム４００に対応し、図５に示すように、記録部５１０、ウェブページ提供部５２０をさらに備えてもよい。
【００３９】
記録部５１０は、ＰＯＩに関連するコンテンツをユーザに関連するウェブページに記録する。ここで、ユーザに関連するウェブページは、ブログ、カフェ、ミートゥデイなどウェブコミュニティサービスを提供するサイトでユーザに割り当てられたページを意味する。
【００４０】
ウェブページ提供部５２０は、ウェブページに記録されたコンテンツを、ウェブサービスを介して、テレマティックスシステム１２０および／またはユーザと関連のあるウェブサイトに提供する。すなわち、ユーザのウェブページに記録されたコンテンツはユーザと関連のあるブログ、カフェ、ミートゥデイなどウェブコミュニティサイトを介して他のユーザと共有してもよい。
【００４１】
上記の構成によると、一実施形態に係るインターネットテレマティックスサービス提供システム５００は、ユーザが別途の操作ないし記録を直接しなくても他のユーザと経験の共有ができるよう、特定のＰＯＩに関連するインターネット上のコンテンツをユーザのウェブページへ自動に記録してウェブサービスを介して他のユーザに提供してもよい。
【００４２】
図６は、本発明の一実施形態におけるＰＯＩに関連する広告情報を提供するインターネットテレマティックスサービス提供システムの追加構成を説明するためのブロック図である。本実施形態に係るインターネットテレマティックスサービス提供システム６００は、図２を参照して説明したインターネットテレマティックスサービス提供システム２００に対応し、図６に示すように、広告情報生成部６１０、広告情報提供部６２０をさらに備えてもよい。
【００４３】
広告情報生成部６１０は、広告サーバ（図示せず）と連係してＰＯＩに関連する広告情報を生成する。広告情報生成部６１０は、テレマティックスシステム１２０によってユーザが選択したＰＯＩ、あるいはテレマティックスシステム１２０に設定された目的地と経由地、および車両が到着した到着地のうち少なくとも１つのＰＯＩに対して広告情報を生成してもよい。ここで、広告情報はＰＯＩに関連する広告、ホームページなどにアクセス可能なリンク情報を含んでもよい。一例として、広告情報生成部６１０は、ＰＯＩの名称をキーワードで決めた後、広告サーバでキーワードに対応する広告を抽出してもよい。
【００４４】
広告情報提供部６２０は、ＰＯＩに関連する広告情報をテレマティックスシステム１２０および／またはユーザから設定された通信端末１３０に提供する。広告情報提供部６２０は、ＰＯＩに関連する広告をテレマティックスシステム１２０および／または通信端末１３０を介してユーザに直ちに提供してもよい。
【００４５】
上記の構成によると、一実施形態に係るインターネットテレマティックスサービス提供システム６００は、ＰＯＩに関連する広告を予め設定されたデバイス、すなわち、テレマティックスシステム１２０および／または通信端末１３０に伝達してユーザに結びつけてもよい。
【００４６】
図７は、本発明の一実施形態における個人化および社会化された形態のＰＯＩ情報を提供するインターネットテレマティックスサービス提供方法を示すフローチャートである。本実施形態に係るインターネットテレマティックスサービス提供方法においては、図２および図４を参照して説明したインターネットテレマティックスサービス提供システムによって各ステップが実行されてもよい。
【００４７】
ステップＳ７１０において、インターネットテレマティックスサービス提供システムは、ユーザに関連するインターネット上の情報および／またはテレマティックスシステム上の情報に基づいて関心情報を生成する。ここで、ユーザに関連するインターネット上の情報は、インターネット上に会員加入の時に作成したユーザの個人情報（例えば、趣味、職業、年齢、性別など）、検索エンジンにおける検索履歴、お気に入りに追加したサイトの性格、ユーザと関連のあるウェブサイト（例えば、ブログ、カフェなど）の性質、ユーザと関連のあるウェブサイト運用者の関心情報、ユーザによって予め設定された他のユーザの関心情報、他のユーザが作成したコンテンツのうち少なくとも１つを含んでもよい。また、テレマティックスシステム上の情報は、ユーザまたはユーザが予め指定した他のユーザから登録された関心ＰＯＩリスト、ＰＯＩに対する検索履歴、訪問履歴、およびユーザまたは他のユーザの現在の位置のうち少なくとも１つのテレマティックス情報を含んでもよい。
【００４８】
ステップＳ７２０において、インターネットテレマティックスサービス提供システムは、テレマティックスシステムから車両位置をリアルタイムに受信してテレマティックスシステムに設定された目的地までの移動経路を受信する。
【００４９】
ステップＳ７３０において、インターネットテレマティックスサービス提供システムは、インターネット地図サーバと連係して車両位置および／または移動経路を基準にしてユーザの関心情報に対応するＰＯＩ情報を抽出する。インターネットテレマティックスサービス提供システムは、ＰＯＩ抽出部２３０により、車両の現在の位置と移動経路周辺に位置するＰＯＩのうち関心情報に対応するＰＯＩを抽出してＰＯＩごとの位置情報、電話番号、アドレスなどの詳細情報を抽出してもよい。
【００５０】
ステップＳ７４０において、インターネットテレマティックスサービス提供システムは、関心情報に対応するＰＯＩ情報をテレマティックスシステムに提供する。ここで、ＰＯＩ情報は、ＰＯＩリストとＰＯＩごとの詳細情報を含んでテレマティックスシステムによって車両の現在の位置および／または移動経路を案内する地図の画面上に表示されてもよい。
【００５１】
ステップＳ７５０において、インターネットテレマティックスサービス提供システムは、ＳＮＳサーバと連係して車両位置および／または移動経路を基準にしてユーザと関連のあるウェブサイトで車両位置および／または移動経路に関連するコンテンツを自動抽出する。例えば、ユーザが加入したウェブサイトの加入者またはユーザのオンラインの友人が作成したコンテンツのうちユーザの現在の位置や移動経路に関連があるか、その地域の近所で作成されたコンテンツを抽出してもよい。
【００５２】
ステップＳ７６０において、インターネットテレマティックスサービス提供システムは、車両位置および／または移動経路に関連するコンテンツをテレマティックスシステムにリアルタイムで提供する。ここで、テレマティックスシステムで車両の現在の位置や移動経路に応じてインターネットテレマティックスサービス提供システムに提供されたコンテンツをポップアップウィンドウに出力してもよい。
【００５３】
図８は、本発明の一実施形態におけるＰＯＩに関連するインターネット上のコンテンツを提供および共有するインターネットテレマティックスサービス提供方法を示すフローチャートである。本実施形態に係るインターネットテレマティックスサービス提供方法は、図４および図５を参照して説明したインターネットテレマティックスサービス提供システムによって各ステップを行なってもよい。
【００５４】
ステップＳ８１０において、インターネットテレマティックスサービス提供システムは、インターネットコンテンツ提供サーバと連係してＰＯＩに関連するインターネット上のコンテンツを抽出してもよい。ここで、インターネットテレマティックスサービス提供システムは、テレマティックスシステムによってユーザが選択したＰＯＩ、あるいはテレマティックスシステムに設定された目的地と経由地、および車両が到着した到着地のうち少なくとも１つのＰＯＩに関連する詳細ページ、クーポン、広告、写真などを抽出してもよい。また、インターネットテレマティックスサービス提供システムは、ＳＮＳサーバと連係してユーザと関連のあるウェブサイトでユーザの関心情報に基づいて抽出されたＰＯＩに関連するコンテンツを抽出してもよい。
【００５５】
ステップＳ８２０において、インターネットテレマティックスサービス提供システムは、ＰＯＩに関連するコンテンツをテレマティックスシステムおよび／またはユーザから設定された通信端末に提供する。ここで、ＰＯＩに関連するコンテンツは、テレマティックスシステムによって画面上に拡大して表示されたり、通信端末を介して車両ではない場合において用いられたりしてもよい。
【００５６】
ステップＳ８３０において、インターネットテレマティックスサービス提供システムは、ＰＯＩに関連するコンテンツをユーザに関連するウェブページに記録する。ここで、ユーザに関連するウェブページは、ブログ、カフェ、ミートゥデイなどウェブコミュニティサービスを提供するサイトでユーザに割り当てられたページを意味する。
【００５７】
ステップＳ８４０において、インターネットテレマティックスサービス提供システムは、ウェブページに記録されたコンテンツを、ウェブサービスを介して、テレマティックスシステムおよび／またはユーザと関連のあるウェブサイトに提供する。すなわち、ユーザのウェブページに記録されたコンテンツは、ユーザと関連のあるブログ、カフェ、ミートゥデイなどウェブコミュニティサイトを介して他のユーザと共有してもよい。
【００５８】
図９は、本発明の一実施形態におけるＰＯＩに関連する広告情報を提供するインターネットテレマティックスサービス提供方法を示すフローチャートである。本実施形態に係るインターネットテレマティックスサービス提供方法においては、図６を参照して説明したインターネットテレマティックスサービス提供システムによって各ステップが実行されてもよい。
【００５９】
ステップＳ９１０において、インターネットテレマティックスサービス提供システムは、広告サーバと連係してＰＯＩに関連する広告情報を生成する。インターネットテレマティックスサービス提供システムは、テレマティックスシステムによってユーザが選択したＰＯＩ、あるいはテレマティックスシステムに設定された目的地と経由地、および車両が到着した到着地のうち少なくとも１つのＰＯＩに対して関連する広告情報を生成してもよい。
【００６０】
ステップＳ９２０において、インターネットテレマティックスサービス提供システムは、ＰＯＩに関連する広告情報をテレマティックスシステムおよび／またはユーザから設定された通信端末に提供する。インターネットテレマティックスサービス提供システムはＰＯＩに関連する広告をテレマティックスシステムおよび／または通信端末を介してユーザに直ちに提供してもよい。
【００６１】
このように、本発明の実施形態によると、ユーザの関心情報を反映したＰＯＩ情報を提供して車両位置および／または移動経路に関連するコンテンツとしてユーザと関連のあるウェブサイト上のコンテンツを提供することによって、インターネット上の情報を高度に個人化および社会化された情報形態に変換してユーザに提供してもよい。また、特定のＰＯＩに関連するインターネット上のコンテンツをユーザが別途の操作ないし記録を直接しなくても、ユーザのウェブページに自動で記録してウェブサービスを介して他のユーザと共有してもよく、特定のＰＯＩに関連する広告を予め設定されたデバイスに伝達してユーザに結びつけてもよい。
【００６２】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００６３】
したがって、本発明の範囲は、開示された実施形態に限定されて定められるものではなく、特許請求の範囲だけではなく特許請求の範囲と均等なものなどによって定められるものである。
【符号の説明】
【００６４】
２００、４００、５００、６００      インターネットテレマティックスサービス提供システム
２１０      関心情報生成部
２２０      経路受信部
２３０      ＰＯＩ抽出部
２４０      ＰＯＩ提供部
４１０      コンテンツ抽出部
４２０      コンテンツ提供部
５１０      記録部
５２０      ウェブページ提供部
６１０      広告情報生成部
６２０      広告情報提供部
【図１】
0005840419.tif 000002
【図２】
0005840419.tif 000003
【図３】
0005840419.tif 000004
【図４】
0005840419.tif 000005
【図５】
0005840419.tif 000006
【図６】
0005840419.tif 000007
【図７】
0005840419.tif 000008
【図８】
0005840419.tif 000009
【図９】
0005840419.tif 000010